(57)【要約】【課題】デュアルビュー表示装置においてシングルビュー表示を行っている際に、観察位置が変化した場合に表示画像について感じる違和感を低減する。【解決手段】左用画素Ｌと右用画素Ｒとが交互に配列されてなる画素群と、左側観察方向に対して左用画素Ｌを露出させるとともに右用画素Ｒを隠し、右側観察方向に対して右用画素Ｒを露出させるとともに左用画素Ｌを隠し、正面観察方向に対して左用画素Ｌ及び右用画素Ｒをそれぞれ部分的に露出させる視差バリア１０２とを備える。左用画素Ｌと右用画素Ｒとが交互に配列される並びにおいて、同色画素同士が互いに隣り合うように配列されている。【選択図】図３
2007127730.tif 000002
【特許請求の範囲】
【請求項１】
第１及び第２方向に対してそれぞれ第１及び第２カラー画像を表示するデュアルビュー表示パネルにおいて、
それぞれ第１及び第２カラー画像を表示するための第１及び第２画像用画素が交互に配列されてなる画素群と、
第１方向に対して第１画像用画素を露出させるとともに第２画像用画素を隠し、第２方向に対して第２画像用画素を露出させるとともに第１画像用画素を隠し、第１方向と第２方向との間の第３方向に対して第１及び第２画像用画素をそれぞれ部分的に露出させる遮蔽部材とを備え、
前記第１及び第２画像用画素が交互に配列される並びにおいて、同色画素同士が互いに隣り合うように配列されていることを特徴とするデュアルビュー表示パネル。
【請求項２】
第３方向から見たときに、互いに隣り合う同色画素の両端側に前記遮蔽部材が位置することを特徴とする請求項１に記載のデュアルビュー表示パネル。
【請求項３】
前記画素群は、第１から第ｎ原色（ｎ≧３）のｎ色の画素からなるとともに、前記第１及び第２画像用画素が交互に配列される並びにおいて、各原色の第１及び第２画像用画素のペアが順に配列されてなることを特徴とする請求項１又は２に記載のデュアルビュー表示パネル。
【請求項４】
前記画素群は、前記ｎ色の画素が行列状に配列されてなるとともに、前記第１及び第２画像用画素が交互に配列される並びが行方向となり、列方向には同色画素がストライプ状に並ぶように配列されてなることを特徴とする請求項３に記載のデュアルビュー表示パネル。
【請求項５】
前記画素群は、前記ｎ色の画素が行列状に配列されてなるとともに、前記第１及び第２画像用画素が交互に配列される並びが行方向となり、列方向に隣り合う画素は互いに異なる色となるように配列されてなることを特徴とする請求項３に記載のデュアルビュー表示パネル。
【請求項６】
請求項１から５の何れか１項に記載のデュアルビュー表示パネルと、
前記デュアルビュー表示パネルに対して前記第１及び第２画像用画素を駆動するための画素信号を供給する表示制御装置とを備え、
前記表示制御装置は、前記デュアルビュー表示パネルにおいて第１及び第２カラー画像として同一画像と異なる画像とを切り替えて表示させることを特徴とするデュアルビュー表示装置。
【発明の詳細な説明】
【技術分野】
【０００１】
本発明は、例えば自動車のカーナビゲーションシステムの表示装置として用いられ、第１及び第２方向に対してそれぞれ第１及び第２カラー画像を表示するデュアルビュー表示パネル、及びこれを備えたデュアルビュー表示装置に関するものである。
【背景技術】
【０００２】
近年、自動車のカーナビゲーションシステムの表示装置などに用いられるデュアルビュー表示装置の開発、実用化が進んでいる。デュアルビュー表示装置とは、同一画面に複数の画像を同時に表示し、その画面を異なる方向から見ることにより、各画像を観察できるようにした表示装置である。つまり、デュアルビュー表示装置は、その画面をある方向から見る観察者に対してはある画像を観察できるようにし、別の方向から見る観察者に対しては他の画像を見ることができるようにするものである。
【０００３】
このようなデュアルビュー表示装置は、例えば特許文献１及び２に開示されている。以下では、従来のデュアルビュー表示装置について、特許文献１に開示されている構成を例にとって説明する。
【０００４】
図１４の断面図に基づいて、従来のデュアルビュー表示装置１００の構成について説明する。デュアルビュー表示装置１００は、画像表示デバイス１０１と、視差バリア１０２とを組み合わせて構成される。
【０００５】
画像表示デバイス１０１は、第１の基板１０４、第２の基板１０５、これらの間に配置された画像表示層１０３、線形偏光子１０７・１０８を備え、光源（図示せず）からの光１０６の透過を画像表示層１０３及び線形偏光子１０７・１０８によって制御することにより画像を表示する。
【０００６】
画像表示層１０３における画素は、行列状に配列されている。この画像表示層１０３は、２つの画像を互いにインターレースさせて表示するものであり、例えばアクティブマトリックスＴＦＴ液晶デバイスである。
【０００７】
画像表示層１０３では、第１の画像が画素列Ｃ１、Ｃ３、Ｃ５によって表示され、第２の画像が画素列Ｃ２、Ｃ４、Ｃ６によって表示される。つまり、第１及び第２の画像は列方向において画素１つおきに表示される。
【０００８】
視差バリア１０２は、複数の不透明部１０２ａからなり、それらの間隙に複数のスリット１０２ｂを形成している。この視差バリア１０２は透明基板１０９によって支持されている。
【０００９】
視差バリア１０２が存在していることにより、画像表示層１０３に表示された各画像は、それぞれ、特定の方向Ｄ１・Ｄ２において観察される。
【００１０】
すなわち、方向Ｄ１では、画素列Ｃ１、Ｃ３、Ｃ５に表示された画像は視差バリア１０２のスリット１０２ｂを介して観察できるが、画素列Ｃ２、Ｃ４、Ｃ６に表示された画像は視差バリア１０２の不透明部１０２ａによって遮断され、観察できない。逆に、方向Ｄ２では、画素列Ｃ２、Ｃ４、Ｃ６に表示された画像は観察できるが、画素列Ｃ１、Ｃ３、Ｃ５に表示された画像は観察できない。
【００１１】
このように、従来のデュアルビュー表示装置は、画面法線方向に対して互いに逆向きに傾いた２つの方向においてそれぞれ別々の画像を観察できるようにしたものである。なお、上記２つの方向のうち、左側から画面を観察する方向を左観察方向、右側から画面を観察する方向を右観察方向と称することとする。
【特許文献１】特開２００５−７８０７６号公報（公開日２００５年３月２４日）
【特許文献２】特開２００４−２０６０８９号公報（公開日２００４年７月２２日）
【発明の開示】
【発明が解決しようとする課題】
【００１２】
上述のように、デュアルビュー表示装置は、左観察方向及び右観察方向においてそれぞれ別々の画像を観察できるようにしたものであるが、上記２つの方向において同一画像を観察できるように表示することも可能である。この場合には、正面からも同一画像を観察することができることになる。正面から画面を観察する方向を正面観察方向と称することとする。
【００１３】
このように、左観察方向及び右観察方向においてそれぞれ別々の画像を観察できるようにする表示をデュアルビュー表示と称し、上記２つの方向及び正面観察方向において同一画像を観察できるようにする表示をシングルビュー表示と称することとする。
【００１４】
ここで、具体的な画素の配列に基づいて、シングルビュー表示及びデュアルビュー表示について説明する。
【００１５】
具体的な画素の配列としては、図１５（ａ）に示すように、通常の表示装置の画素配列と同じく、赤色画素ｒ、緑色画素ｇ、青色画素ｂをこの順に繰り返し配列することが考えられる。視差バリア１０２については、水平方向に互いに隣接する画素の境界線のうち、１つおきの境界線上に配置される。
【００１６】
これにより、正面観察方向から見た場合には、図１５（ｂ）に示すように、各画素を水平方向に分割した一方の領域が観察され、他方の領域は視差バリア１０２に隠れることになる。
【００１７】
一方、左観察方向及び右観察方向から見た場合には、図１５（ｃ）及び図１５（ｄ）に示すように、それぞれ互いに異なる画素が１つおきに観察されることになる。このように、左観察方向から見て観察される画素を「左用画素Ｌ」、右観察方向から見て観察される画素を「右用画素Ｒ」と称することとする。
【００１８】
この画素の配列において、デュアルビュー表示を行う際には、左用画素Ｌと右用画素Ｒとにそれぞれ別々の画像を表示するようにすればよい。一方、シングルビュー表示を行う際には、左用画素Ｌと右用画素Ｒとを区別することなく、全画素を用いて１画像を表示する（すなわち、通常の表示装置と同じように表示する）ようにすればよい。
【００１９】
しかしながら、シングルビュー表示を上記のようにして行った場合には次のような問題が生じる。
【００２０】
シングルビュー表示を行った場合、左観察方向及び右観察方向から観察される画像は水平方向１つおきの画素によって表示されたものとなるため、１ドット（RGB）のラインのような特定の表示に限った問題ではあるが、正面観察方向では白いラインが、RGBのバランスが崩れ色づいて観察される。
【００２１】
また、正面観察方向から観察される画像と比較して水平方向の解像度が低下することにもなる。左観察方向又は右観察方向からのみ画像を観察している場合には解像度の低下はそれほど気にならないが、シングルビュー表示では、左観察方向及び右観察方向から観察される画像と、正面観察方向から観察される画像とを比較可能であり、この比較によってこれらの解像度差が認識される結果、左観察方向及び右観察方向から観察される画像の解像度の低下が気になってくることになる。
【００２２】
すなわち、特定のパターンでの色づき問題と、絶対的な解像度は同一であったとしても、より高解像度の表示と比較し得る状態では解像度不足が認識されやすい問題がある。
【００２３】
そこで、本願発明者らは、シングルビュー表示を行う際に、上記観察方向に応じた解像度の変化が生じないよう、あえて正面観察方向から観察される画像の解像度を低下させて左観察方向及び右観察方向から観察される画像の解像度と一致させる手法を開発した。
【００２４】
具体的には、シングルビュー表示を行う際に、左用画素Ｌと右用画素Ｒとを区別することなく全画素を用いて１画像を表示するのではなく、左用画素Ｌと右用画素Ｒとにそれぞれ同一の画像を表示するようにした。
【００２５】
しかしながら、本願発明者らは上記手法においてもさらなる問題が生じることを見いだした。この問題について説明する。
【００２６】
上述のとおり、画素の配列としては、通常の表示装置の画素配列と同じく、赤色画素ｒ、緑色画素ｇ、青色画素ｂをこの順に繰り返し配列され、視差バリア１０２については、水平方向に互いに隣接する画素の境界線のうち、１つおきの境界線上に配置されている。
【００２７】
この構成において、左用画素Ｌと右用画素Ｒとにそれぞれ同一の画像を表示するためには、図１６に示すように、左用画素Ｌ及び右用画素Ｒそれぞれの赤色画素ｒに対して同一の画素信号を供給し、左用画素Ｌ及び右用画素Ｒそれぞれの緑色画素ｇに対して同一の画素信号を供給し、左用画素Ｌ及び右用画素Ｒそれぞれの青色画素ｂに対して同一の画素信号を供給することになる。
【００２８】
この場合、図１７（ａ）〜図１７（ｅ）に示すように、左観察方向又は右観察方向から観察すると、赤色画素ｒ、緑色画素ｇ、青色画素ｂはそれぞれ１画素として観察されるのに対し、正面観察方向及び正面観察方向と左観察方向又は右観察方向との間の中間的な観察方向から観察すると、赤色画素ｒ、緑色画素ｇ、青色画素ｂはそれぞれ互いに離れた２つの画素として観察されることになる。このことを赤色画素ｒに注目して図示すると図１８（ａ）〜図１８（ｅ）のようになる。
【００２９】
このような表示においては、観察方向を例えば左観察方向→正面観察方向→右観察方向と変化させた場合に、同一輝度を示すある色の画素（例えば図１８（ａ）〜図１８（ｅ）に示した赤色画素ｒ）があたかも一旦２つに分離されてまた１つになるように観察される。このことは、観察者によって画素単位で認識されるものではないが、画像全体としての違和感として認識されることになる。
【００３０】
なお、上記違和感は、観察方向を上記のように左観察方向→正面観察方向→右観察方向と変化させた場合に限らず、観察位置が多少変化すること（例えば、観察者が頭を左右に動かすことなど）により生じる観察方向の変化においても認識され得る。
【００３１】
本発明は、上記の問題点に鑑みてなされたものであり、その目的は、デュアルビュー表示装置においてシングルビュー表示を行っている際に、観察位置が変化した場合に表示画像について感じる違和感を低減することにある。
【課題を解決するための手段】
【００３２】
本発明に係るデュアルビュー表示パネルは、第１及び第２方向に対してそれぞれ第１及び第２カラー画像を表示するデュアルビュー表示パネルであって、上記課題を解決するために、それぞれ第１及び第２カラー画像を表示するための第１及び第２画像用画素が交互に配列されてなる画素群と、第１方向に対して第１画像用画素を露出させるとともに第２画像用画素を隠し、第２方向に対して第２画像用画素を露出させるとともに第１画像用画素を隠し、第１方向と第２方向との間の第３方向に対して第１及び第２画像用画素をそれぞれ部分的に露出させる遮蔽部材とを備え、前記第１及び第２画像用画素が交互に配列される並びにおいて、同色画素同士が互いに隣り合うように配列されていることを特徴としている。
【００３３】
上記構成では、遮蔽部材によって、第１方向に対しては第１画像用画素を露出させるとともに第２画像用画素を隠し、第２方向に対しては第２画像用画素を露出させるとともに第１画像用画素を隠すので、第１及び第２方向に対して互いに異なる第１及び第２カラー画像を表示する、いわゆるデュアルビュー表示が可能である。
【００３４】
また、上記構成では、第１及び第２方向に対して同じ第１及び第２カラー画像を表示する、いわゆるシングルビュー表示も可能であり、遮蔽部材は第１方向と第２方向との間の第３方向に対して第１及び第２画像用画素をそれぞれ部分的に露出させるので、第３方向においても第１及び第２カラー画像と同じ画像を観察することができる。
【００３５】
ここで、画素の配列として、通常の表示装置の画素配列と同じく、例えば、赤色画素、緑色画素、青色画素をこの順に繰り返す配列を採用している構成では、シングルビュー表示を行っている場合において、観察方向を例えば第１方向→第３方向→第２方向と変化させた場合に、ある色の画素があたかも一旦２つに分離されてまた１つになるように観察される（図１７（ａ）〜図１７（ｅ）及び図１８（ａ）〜図１８（ｅ）参照）。このことは、観察者によって画素単位で認識されるものではないが、画像全体としての違和感として認識されることになる。
【００３６】
これに対し、上記構成では、第１及び第２画像用画素が交互に配列される並びにおいて、同色画素同士が互いに隣り合うように配列されている。これにより、観察方向を例えば第１方向→第３方向→第２方向と変化させた場合においても、ある色の画素は２つに分離されることなくあたかも１つの画素として移動するように観察される（図５（ａ）〜図５（ｅ）及び図６（ａ）〜図６（ｅ）参照）ため違和感を感じ難い。あるいは、たとえ２つに分離されるように観察されたとしても互いの距離は比較的小さいため（図８（ａ）〜図８（ｅ）参照）、同じく違和感を感じ難い。
【００３７】
したがって、上記構成では、シングルビュー表示を行っている際に、観察位置が変化した場合に表示画像について感じる違和感を低減することができる。
【００３８】
本発明に係るデュアルビュー表示パネルは、上記構成において、第３方向から見たときに、互いに隣り合う同色画素の両端側に前記遮蔽部材が位置することが望ましい。
【００３９】
上記構成では、第３方向から見たときに、互いに隣り合う同色画素の両端側に前記遮蔽部材が位置しているため、観察方向を例えば第１方向→第３方向→第２方向と変化させた場合においても、ある色の画素は２つに分離されることなくあたかも１つの画素として移動するように観察される（図５（ａ）〜図５（ｅ）及び図６（ａ）〜図６（ｅ）参照）。このため、より違和感を感じ難くなる。
【００４０】
本発明に係るデュアルビュー表示パネルは、上記構成において、前記画素群は、第１から第ｎ原色（ｎ≧３）のｎ色の画素からなるとともに、前記第１及び第２画像用画素が交互に配列される並びにおいて、各原色の第１及び第２画像用画素のペアが順に配列されてなっていてもよい。
【００４１】
本発明に係るデュアルビュー表示パネルは、上記構成において、前記画素群は、ｎ色の画素が行列状に配列されてなるとともに、前記第１及び第２画像用画素が交互に配列される並びが行方向となり、列方向には同色画素がストライプ状に並ぶように配列されていてもよい。
【００４２】
あるいは、本発明に係るデュアルビュー表示パネルは、上記構成において、前記画素群は、ｎ色の画素が行列状に配列されてなるとともに、前記第１及び第２画像用画素が交互に配列される並びが行方向となり、列方向に隣り合う画素は互いに異なる色となるように配列されていてもよい。
【００４３】
本発明に係るデュアルビュー表示装置は、上記何れかのデュアルビュー表示パネルと、前記デュアルビュー表示パネルに対して前記各第１及び第２画像用画素を駆動するための画素信号を供給する表示制御装置とを備え、前記表示制御装置は、前記デュアルビュー表示パネルにおいて第１及び第２カラー画像として同一画像と異なる画像とを切り替えて表示させることを特徴としている。
【００４４】
上記構成では、デュアルビュー表示とシングルビュー表示とを切り替えて行うことができる。そして、シングルビュー表示を行う際には、上述したデュアルビュー表示パネルの作用効果により、観察位置が変化した場合に表示画像について感じる違和感を低減することができる。
【発明の効果】
【００４５】
本発明に係るデュアルビュー表示パネルは、以上のように、それぞれ第１及び第２カラー画像を表示するための第１及び第２画像用画素が交互に配列されてなる画素群と、第１方向に対して第１画像用画素を露出させるとともに第２画像用画素を隠し、第２方向に対して第２画像用画素を露出させるとともに第１画像用画素を隠し、第１方向と第２方向との間の第３方向に対して第１及び第２画像用画素をそれぞれ部分的に露出させる遮蔽部材とを備え、前記第１及び第２画像用画素が交互に配列される並びにおいて、同色画素同士が互いに隣り合うように配列されている構成である。
【００４６】
上記構成では、いわゆるデュアルビュー表示が可能であるとともに、いわゆるシングルビュー表示も可能であり、シングルビュー表示を行っている際に、観察方向が変化したとしても、ある色の画素が２つに分離されることなくあたかも１つの画素として移動するように観察される（図５（ａ）〜図５（ｅ）及び図６（ａ）〜図６（ｅ）参照）ため違和感を感じ難い。あるいは、たとえ２つに分離されるように観察されたとしても互いの距離は比較的小さいため（図８（ａ）〜図８（ｅ）参照）、同じく違和感を感じ難い。
【００４７】
したがって、上記構成では、シングルビュー表示を行っている際に、観察位置が変化した場合に表示画像について感じる違和感を低減することができる。
【発明を実施するための最良の形態】
【００４８】
本発明の実施の一形態について図１から図１３に基づいて説明すると以下の通りである。
【００４９】
まず、図１及び図２に基づいて、本実施形態におけるデュアルビュー表示装置の概略構成について説明する。
【００５０】
デュアルビュー表示装置１は、図１に示すように、コントローラ（表示制御装置）１０と、ソースドライバ２０と、ゲートドライバ３０と、デュアルビュー表示パネル４０とを備えている。
【００５１】
デュアルビュー表示装置１は、左観察方向（第１方向）及び右観察方向（第２方向）においてそれぞれ別々の画像を観察できるように表示するものであり、上記２つの方向において同一画像を観察できるように表示することも可能である。同一画像を観察できるように表示する場合には、正面観察方向（第３方向）からも同一画像を観察することができることになる。
【００５２】
なお、左観察方向及び右観察方向とは、図２に示すように、デュアルビュー表示パネル４０に向かってそれぞれ左側及び右側から画面を観察する方向を意味し、正面観察方向とは、デュアルビュー表示パネル４０の正面から画面を観察する方向を意味する。これらの方向はそれぞれある程度の角度範囲を有しており、このことから、左観察方向、右観察方向及び正面観察方向はそれぞれ左視野、右視野及び正面視野とも称される。
【００５３】
デュアルビュー表示装置１には、デュアルビュー表示装置１の外部にある画像信号発生装置（図示せず）から、２種類の画像信号（以下、それぞれ「第１画像信号Ｉｓ１」及び「第２画像信号Ｉｓ２」と称する。）と、デュアルビュー表示装置１における表示状態（デュアルビュー表示及びシングルビュー表示）を切り替える切替信号Ｓｓと、クロック信号や水平同期信号、垂直同期信号などのコントロール信号（図示せず）とが入力され、これらの信号をコントローラ１０が受け取る。
【００５４】
第１及び第２画像信号Ｉｓ１・Ｉｓ２は、デュアルビュー表示を行う際、つまり、左観察方向及び右観察方向に対してそれぞれ別々の画像（以下、それぞれ「第１カラー画像」及び「第２カラー画像」と称する。）を表示する際における第１及び第２カラー画像に対応する画像信号である。
【００５５】
切替信号Ｓｓは、デュアルビュー表示とシングルビュー表示とを切り替えるとともに、シングルビュー表示を行う際には第１及び第２画像信号Ｉｓ１・Ｉｓ２の何れを表示するかを指定するための信号である。
【００５６】
クロック信号や水平同期信号、垂直同期信号などのコントロール信号は、従来のデュアルビュー表示装置１又は液晶表示装置においても用いられているものであるので、ここではこれらの説明を省略する。
【００５７】
コントローラ１０は、切替信号Ｓｓによってデュアルビュー表示が指定された場合には、第１及び第２画像信号Ｉｓ１・Ｉｓ２をソースドライバ２０に供給し、切替信号Ｓｓによってシングルビュー表示が指定された場合には、さらに切替信号Ｓｓによって指定される第１及び第２画像信号Ｉｓ１・Ｉｓ２の一方をソースドライバ２０に供給する。
【００５８】
ソースドライバ２０は、コントローラ１０から供給される第１及び第２画像信号Ｉｓ１・Ｉｓ２の両方又は一方に基づいて、デュアルビュー表示パネル４０において第１及び第２カラー画像の両方又は一方を表示するように画素を駆動する信号を生成し、デュアルビュー表示パネル４０に供給する。なお、ソースドライバ２０の構成自体は、従来のデュアルビュー表示装置１又は液晶表示装置において用いられるものを利用できるので、ここではその説明を省略する。
【００５９】
ゲートドライバ３０は、デュアルビュー表示パネル４０を走査駆動するための走査信号を生成し、デュアルビュー表示パネル４０に供給する。なお、ゲートドライバ３０は、従来のデュアルビュー表示装置１又は液晶表示装置において用いられるものを利用できるので、ここではその説明を省略する。
【００６０】
デュアルビュー表示パネル４０は、基本的には背景技術の欄において図１４に基づいて説明したデュアルビュー表示装置１００と同等の構成を有しており、画像表示デバイス１０１と、視差バリア（遮蔽部材）１０２とを組み合わせて構成されている。
【００６１】
ここで、画像表示デバイス１０１は、行列状に配列された多数の画素からなる画素群を有している。また、視差バリア１０２は、左観察方向に対して左用画素（第１画像用画素）Ｌを露出させるとともに右用画素（第２画像用画素）Ｒを隠し、右観察方向に対して右用画素Ｒを露出させるとともに左用画素Ｌを隠し、正面観察方向に対して左用画素Ｌ及び右用画素Ｒをそれぞれ部分的に露出させるものであり、遮蔽部材として機能する。
【００６２】
ただし、デュアルビュー表示パネル４０は、赤色画素ｒ、緑色画素ｇ、青色画素ｂの配列に関して特有の構成を有している。以下では、デュアルビュー表示パネル４０における赤色画素ｒ、緑色画素ｇ、青色画素ｂの配列について説明する。
【００６３】
デュアルビュー表示パネル４０における画素の配列は、図３（ａ）に示すように、左用画素Ｌの赤色画素ｒ、右用画素Ｒの赤色画素ｒ、左用画素Ｌの緑色画素ｇ、右用画素Ｒの緑色画素ｇ、左用画素Ｌの青色画素ｂ、右用画素Ｒの青色画素ｂをこの順に行方向に繰り返し配列したものである。
【００６４】
これにより、左用画素Ｌと右用画素Ｒとが行方向において交互に配列されるとともに、行方向において、同色画素同士が互いに隣り合うように配列されることになる。
【００６５】
視差バリア１０２については、行方向に互いに隣り合う画素の境界線のうち、１つおきの境界線上に配置される。
【００６６】
この構成では、正面観察方向から見た場合には、図３（ｂ）に示すように、各画素を行方向に分割した一方の領域が観察され、他方の領域は視差バリア１０２に隠れることになる。
【００６７】
一方、左観察方向及び右観察方向から見た場合には、図３（ｃ）及び図３（ｄ）に示すように、それぞれ左用画素Ｌ及び右用画素Ｒのみが観察されることになる。
【００６８】
デュアルビュー表示パネル４０においてシングルビュー表示を行う際には、発明が解決しようとする課題欄において説明したように、観察方向に応じた解像度の変化が生じないよう、あえて正面観察方向から観察される画像の解像度を低下させて左観察方向及び右観察方向から観察される画像の解像度と一致させるべく、図４に示すように、左用画素Ｌと右用画素Ｒとにそれぞれ同一の画像を表示するようにする。
【００６９】
すなわち、シングルビュー表示を行う際には、上述したように、コントローラ１０より、第１及び第２画像信号Ｉｓ１・Ｉｓ２の一方が供給されるので、これを左用画素Ｌと右用画素Ｒとに同じように供給する。
【００７０】
このデュアルビュー表示パネル４０では、図５（ａ）〜図５（ｅ）に示すように、左観察方向又は右観察方向から観察すると、赤色画素ｒ、緑色画素ｇ、青色画素ｂはそれぞれ１画素として観察される。一方、正面観察方向及び正面観察方向と左観察方向又は右観察方向との間の中間的な観察方向から観察すると、赤色画素ｒ、緑色画素ｇ、青色画素ｂはそれぞれ互いに隣り合う２つの画素として観察されることになる。このことを赤色画素ｒに注目して図示すると図６（ａ）〜図６（ｅ）のようになる。
【００７１】
この表示では、正面観察方向及び正面観察方向と左観察方向又は右観察方向との間の中間的な観察方向から観察した場合に、赤色画素ｒ、緑色画素ｇ、青色画素ｂはそれぞれ実際には２つの画素が見えているものの、これらは同色画素が互いに隣り合っているため、あたかも１つの画素として認識されることになる。
【００７２】
したがって、観察方向を例えば左観察方向→正面観察方向→右観察方向と変化させた場合であっても、発明が解決しようとする課題欄において説明した図１８（ａ）〜図１８（ｅ）の場合（以下、これを「比較例」と称する。）とは異なり、ある色の画素（例えば図６（ａ）〜図６（ｅ）に示した赤色画素ｒ）は２つに分離されることなくあたかも１つの画素として移動しているように観察される。
【００７３】
このように、比較例の場合では、観察方向によって、各色画素が１箇所に集中したり（図１８（ａ）及び図１８（ｅ））、２箇所に分散したり（図１８（ｂ）〜図１８（ｄ））する上、２箇所に分散した場合にはそれぞれの面積の割合が変化する。このことを「画素構成の変化」と称する。
【００７４】
これに対し、図６（ａ）〜図６（ｅ）の場合、つまり、デュアルビュー表示パネル４０による表示では、観察方向によって、上記のような画素構成の変化は起こらず、各色画素の位置が１画素分の幅で連続的に変化するにとどまる。
【００７５】
その結果、デュアルビュー表示パネル４０では、観察位置が多少変化すること（例えば、観察者が頭を左右に動かすことなど）があっても、比較例の場合とは異なり、画像全体としての違和感はほとんど認識されないことになる。
【００７６】
さらに、デュアルビュー表示パネル４０における利点について次のことがいえる。
【００７７】
比較例では、正面観察方向及び正面観察方向との比較において、その他の観察方向では、画像を構成する画素数が２倍になる。この変化により、画像を観察した場合に違和感を感じやすくなる。これに対して、本実施形態では、同じ階調表示を行う同色画素が隣り合っているため、画像を構成する画素が擬似的ではあるが常に同数と認識できる。そのため、本実施形態では、全観察方向に渡って見た場合に、どこから見ても画像の変化がほとんど感じられず、違和感を感じにくい。
【００７８】
また、比較例では、観察方向によっては、同じ階調表示を行う画素が離れて配置（まばらに配置）されることになるので、画像がややぼやけて感じられる。特に、コントラストのはっきりした幾何学模様においてはこのようなぼやけた表示は不都合である。これに対して、本実施形態では、上記のような不都合はほとんどなく、コントラストのはっきりした幾何学模様についても適切に表示することができる。
【００７９】
さらに、単色表示（例えば赤単色）を行った場合、比較例では、図１８（ｂ）〜図１８（ｄ）に示したように、観察方向によっては、光っている画素の間隔が均一ではないため、画像全体として、均一な単色画像とは認識されずに輝度の異なる縦縞模様と認識さやすくなる（特に各色画素がストライプ状に配列されている場合）。これに対して、本実施形態では、光っている画素の間隔は広くなるが、その間隔は均等であるため、画像全体として、均一な単色画像とは認識されやすくなる。
【００８０】
以上のような利点は、視差バリア１０２を図３（ａ）及び図３（ｂ）に示すように配置した構成、つまり、正面観察方向から見たときに、互いに隣り合う同色画素の両端側に視差バリア１０２が位置するように配置した構成（つまり、視差バリア１０２のスリットに同色画素が現れる構成）において特に効果的である。
【００８１】
しかしながら、視差バリア１０２を図３（ａ）及び図３（ｂ）に示すように配置した場合に限らず、図７（ａ）及び図７（ｂ）に示すように配置した場合（以下、これを「変形配置」と称する。）においても、比較例との比較においては十分な利点が認められる。
【００８２】
すなわち、変形配置では、図８（ａ）〜図８（ｅ）に示すように、観察方向によって、各色画素が１箇所に集中したり（図８（ａ）及び図８（ｅ））、２箇所に分散したり（図８（ｂ）〜図８（ｄ））するが、２箇所に分散したときの距離は、比較例では２画素分であるのに対し変形配置では１画素分と小く、各色画素が１箇所に集中した場合との差は小さいため、比較例よりも違和感を感じにくくなる。
【００８３】
したがって、本実施形態では、左用画素Ｌと右用画素Ｒとが行方向において交互に配列されるとともに、行方向において、同色画素同士が互いに隣り合うように配列されていることが重要であるといえる。
【００８４】
次に、本実施形態の他の変形例について説明する。
【００８５】
以上の説明では、各色画素の並びが、赤色画素ｒ→緑色画素ｇ→青色画素ｂの繰り返しである場合について説明したが、これに限らず、例えば、図９に示すように、赤色画素ｒ→青色画素ｂ→緑色画素ｇの繰り返しであってもよく、図１０に示すように、赤色画素ｒ→青色画素ｂ→緑色画素ｇ→青色画素ｂ→緑色画素ｇ→赤色画素ｒの繰り返しであってもよい。
【００８６】
また、以上の説明では、列方向の各色画素の並びについては特に説明していないが、図１１に示すようにストライプ配列であってもよく、図１２及び図１３に示すようにデルタ配列であってもよい。なお、図１２及び図１３では、他の図と同じく、赤色画素ｒに対して右下がり斜線、緑色画素ｇに対して右上がり斜線、青色画素ｂに対して両斜線をそれぞれ付している。
【００８７】
なお、ここでは、画素の配列が行列状であり、視差バリア１０２がストライプ状のものを前提としているが、画素の配列がデルタ状（例えば、図１１〜図１３において、偶数行を奇数行に対して半画素分行方向にずらした配列）であり、それにあわせて視差バリア１０２もデルタ状である構成としてもよい。
【００８８】
さらに、以上の説明では、画素形状として縦長形状（列方向に長い形状）を前提としているが、これに限らず、画素形状が横長形状（行方向に長い形状）であってもよく、正方形であってもよい。
【００８９】
さらに、以上の説明では、デュアルビュー表示パネル４０として、赤色画素ｒ、緑色画素ｇ及び青色画素ｂの３原色画素を備えたものを前提としたが、他の色の組合せや４原色以上の画素を備えたものであってもよい。
【００９０】
さらに、デュアルビュー表示パネル４０を構成する画像表示デバイス１０１は、アクティブマトリックスＴＦＴ液晶デバイスに限定されるものではなく、他の液晶デバイスや、無機ＥＬデバイス、有機ＥＬデバイス、プラズマディスプレイ、ＣＲＴディスプレイなど種々の表示デバイスであってもよい。
【００９１】
さらに、以上の説明では、正面方向から見たときに、視差バリア１０２のスリットに現れる同色画素の面積が等しくなる構成を前提としたが、画素と視差バリア１０２との位置関係を変化させることにより、正面方向に対して左側又は右側に傾いた方向から見たときに、視差バリア１０２のスリットに現れる同色画素の面積が等しくなる構成とすることもできる。
【産業上の利用可能性】
【００９２】
本発明は、例えば自動車のカーナビゲーションシステムの表示装置として用いられるデュアルビュー表示装置に適用できる。
【図面の簡単な説明】
【００９３】
【図１】本発明の実施形態に係るデュアルビュー表示装置を示すブロック図である。
【図２】図１のデュアルビュー表示装置に対する観察方向を説明するための斜視図である。
【図３】（ａ）は図１のデュアルビュー表示装置における各色画素と視差バリアとの配置関係を示す平面図であり、（ｂ）〜（ｄ）は上記デュアルビュー表示装置の各色画素をそれぞれ正面観察方向、左観察方向及び右観察方向から見た状態を示す平面図である。
【図４】図１のデュアルビュー表示装置において各色画素に対して供給する信号の関係を説明するための図面である。
【図５】（ａ）〜（ｅ）は、図１のデュアルビュー表示装置の各色画素をそれぞれ左観察方向、左観察方向と正面観察方向との間の中間的方向、正面観察方向、正面観察方向と右観察方向との間の中間的方向、及び右観察方向から見た状態を示す平面図である。
【図６】（ａ）〜（ｅ）は、それぞれ図５（ａ）〜（ｅ）における赤色画素のみに注目した状態を示す平面図である。
【図７】（ａ）は図１のデュアルビュー表示装置の一変形例における各色画素と視差バリアとの配置関係を示す平面図であり、（ｂ）は上記デュアルビュー表示装置の各色画素を正面観察方向から見た状態を示す平面図である。
【図８】（ａ）〜（ｅ）は、デュアルビュー表示装置の上記一変形例における各色画素をそれぞれ左観察方向、左観察方向と正面観察方向との間の中間的方向、正面観察方向、正面観察方向と右観察方向との間の中間的方向、及び右観察方向から見た状態を示す平面図である。
【図９】図１のデュアルビュー表示装置における各色画素の他の配置例を示す平面図である。
【図１０】図１のデュアルビュー表示装置における各色画素の他の配置例を示す平面図である。
【図１１】図１のデュアルビュー表示装置における各色画素の他の配置例を示す平面図である。
【図１２】図１のデュアルビュー表示装置における各色画素の他の配置例を示す平面図である。
【図１３】図１のデュアルビュー表示装置における各色画素の他の配置例を示す平面図である。
【図１４】従来のデュアルビュー表示装置の構成を示す断面図である。
【図１５】（ａ）は図１４のデュアルビュー表示装置における各色画素と視差バリアとの配置関係を示す平面図であり、（ｂ）〜（ｄ）は上記デュアルビュー表示装置の各色画素をそれぞれ正面観察方向、左観察方向及び右観察方向から見た状態を示す平面図である。
【図１６】図１４のデュアルビュー表示装置において各色画素に対して供給する信号の関係を説明するための図面である。
【図１７】（ａ）〜（ｅ）は、図１４のデュアルビュー表示装置の各色画素をそれぞれ左観察方向、左観察方向と正面観察方向との間の中間的方向、正面観察方向、正面観察方向と右観察方向との間の中間的方向、及び右観察方向から見た状態を示す平面図である。
【図１８】（ａ）〜（ｅ）は、それぞれ図１７（ａ）〜（ｅ）における赤色画素のみに注目した状態を示す平面図である。
【符号の説明】
【００９４】
１    デュアルビュー表示装置
１０    コントローラ（表示制御装置）
２０    ソースドライバ
３０    ゲートドライバ
４０    デュアルビュー表示パネル
１０１    画像表示デバイス
１０２    視差バリア（遮蔽部材）
Ｌ    左用画素（第１画像用画素）
Ｒ    右用画素（第２画像用画素）
ｒ    赤色画素
ｇ    緑色画素
ｂ    青色画素
【図１】
2007127730.tif 000003
【図２】
2007127730.tif 000004
【図３】
2007127730.tif 000005
【図４】
2007127730.tif 000006
【図５】
2007127730.tif 000007
【図６】
2007127730.tif 000008
【図７】
2007127730.tif 000009
【図８】
2007127730.tif 000010
【図９】
2007127730.tif 000011
【図１０】
2007127730.tif 000012
【図１１】
2007127730.tif 000013
【図１２】
2007127730.tif 000014
【図１３】
2007127730.tif 000015
【図１４】
2007127730.tif 000016
【図１５】
2007127730.tif 000017
【図１６】
2007127730.tif 000018
【図１７】
2007127730.tif 000019
【図１８】
2007127730.tif 000020